(57)【特許請求の範囲】
【請求項１】
一方の端末装置から加入者回線網を介して送り込まれる電話番号等の選択信号に基づいて送受信処理部がＩＰネットワークを介して他方の端末装置へ送信処理を行うのを制御する主制御部と、予め登録された電話番号を含む送信先情報を記憶した送信先情報記憶部と、前記一方の端末装置から送り込まれる前記選択信号を構成する数字をその数字の受信順に順次記憶する選択信号記憶部とを備え、
前記主制御部が、
前記選択信号記憶部に記憶される選択信号の個々の数字を受信の度に前記送信先情報記憶部に登録されている送信先情報に含まれる電話番号の対応する箇所と順次比較してその一致又は不一致をリアルタイムで順次判定する比較判定機能と、
この比較判定機能により前記選択信号の最初の数字との比較で一致すると判定された送信先情報を特定しこの特定した送信先情報に基づいた送信処理を前記送受信処理部に対して直ちに実行させる発信動作処理機能と、
前記比較判定機能により不一致であると判定された送信先情報についてはそれに基づく送信処理を前記送受信処理部に直ちに中止させる発信停止処理機能と、
前記選択信号の全数字の受信が完了したときに作動し、前記送信先情報に基づいた送信処理が実行されていないと判断した場合に前記選択信号記憶部に記憶された当該選択信号に基づいた送信処理を前記送受信処理部に実行させる通常発信処理機能と、を備えていることを特徴とした音声発信制御装置。
【請求項２】
前記請求項１に記載の音声発信制御装置において、
前記一方の端末から前記加入者回線網を介して前記選択信号を受信する選択信号受信部を前記送受信処理部に併設すると共に、
前記選択信号受信部が、前記選択信号の個々の数字を受信する度に稼働して当該選択信号と前記送信先情報記憶部に記憶されている送信先情報とを比較させる比較要求を前記主制御部に向けて出力する機能を有し、
前記主制御部は、前記選択信号受信部から前記比較要求があった場合に前記比較判定機能を稼働させる構成としたことを特徴とした音声発信制御装置。
【請求項３】
前記請求項２に記載の音声発信制御装置において、
前記主制御部は、前記選択信号受信部から前記比較要求を入力した後に予め定めた所定時間内に次の比較要求がなかった場合に、前記選択信号の全数字の受信が完了したと判断する機能を備えていることを特徴とした音声発信制御装置。
【請求項４】
一方の端末装置から加入者回線網を介して送り込まれる電話番号等の選択信号に基づいてＩＰネットワークを介して他方の端末装置へ送信処理を行うシステムの動作を制御する音声発信制御方法において、
前記一方の端末装置から送り込まれる前記選択信号を構成する数字を順に受信しその数字を受信順に選択信号記憶部に順次記憶する第１の工程と、この記憶される選択信号の個々の数字を受信の度に予め送信先情報記憶部に記憶された送信先情報に含まれる電話番号の対応する箇所とリアルタイムで順次比較して一致又は不一致を判定する第２の工程とを備え、
前記選択信号の最初の数字との比較で一致すると判定された送信先情報に基づく送信処理を予め装備した送受信処理部を介して行う第３の工程と、
不一致の箇所があると判定された送信先情報に基づく送信処理を中止する発信停止処理工程と、
前記第１の工程による前記選択信号の受信が全て完了したときに、前記送信先情報に基づいた送信処理が実行されていない場合、前記選択信号記憶部に記憶された当該選択信号に基づいて送信処理を実行する通常送信処理工程とを備えていることを特徴とする音声発信制御方法。
【請求項５】
一方の端末装置から加入者回線網を介して送り込まれる電話番号等の選択信号に基づいてＩＰネットワークを介して他方の端末装置へ送信処理を行うシステムの動作を制御する音声発信制御プログラムにおいて、
前記一方の端末装置から送り込まれる前記選択信号を選択信号受信部で順次受信する受信処理、
この受信処理された選択信号を構成する数字を受信順に選択信号記憶部に順次記憶処理する選択信号記憶処理、
この順次記憶された選択信号を構成する個々の数字を受信の度に予め送信先情報記憶部に記憶された送信先情報に含まれる電話番号の対応する箇所とリアルタイムで順次比較して一致又は不一致を判定する比較判定処理、
前記選択信号の最初の数字との比較で一致すると判定された送信先情報に基づいた送信処理の実行を送受信処理部に指令する発信動作処理、
不一致であると判定された送信先情報に基づく送信処理の中止を前記送受信処理部に指令する発信停止処理、
及び、前記受信処理による前記選択信号の全数字の受信が完了したときに、前記送信先情報に基づいた送信処理が実行されていないと判断した場合、前記選択信号記憶部に記憶された当該選択信号に基づいた送信処理の実行を送受信処理部に指令する通常送信処理、
をコンピュータに実行させるようにしたことを特徴とする音声発信制御プログラム。
【発明の詳細な説明】
【技術分野】
【０００１】
本発明は、ＩＰ（Internet Protocol)ネットワークを介して端末装置間に音声情報を送受信する音声発信制御装置、音声発信制御方法、及び音声発信制御プログラムに関する。
【背景技術】
【０００２】
一般に従来のＶｏＩＰ（Ｖoce Ｏver ＩＰ）アダプタ７０は、図７に示すように、中央制御部７００と、端末インターフェース部７０１と、ＩＰ網インターフェース部７０２と、波心先情報記憶部７０３と、選択信号受信部７０４と、タイマ部７０５とを備えて構成されている。
中央制御部７００は、このアダプタ７０の全体を制御し、端末インターフェース７０１は、このアダプタ７０と端末８０との間の通信を接続し、ＩＰ網インターフェース７０２は、ＩＰ網７０２との間の通信を接続する。又、発信先情報記憶部７０３は、発信先情報を記録し、選択信号受信部７０４は端末インタフェース部７０１を介して端末８０から送信されてきた選択信号を受信する。タイマ部７０５は、選択信号受信部７０４が受信する選択信号の受信時間を計測する。
【０００３】
この従来のＶｏＩＰアダプタ７０は、選択信号受信部７０４が選択信号が所定時間以上経過しても受信しない場合には、発信先情報記憶部７０３に記憶されている相手端末に対して発信処理を行うことが知られている（例えば、特許文献１参照）。
また、端末からある特定の操作が成されると送信先の相手端末に対する送信処理を実行させるためのキーが設定され、このキーを押下すると、予め記憶されている送信先の相手端末に対する送信処理を行うという、特定の操作を行う技術が開示されている（例えば、特許文献２参照）。
【０００４】
更に、発信先の選択を簡易化し、ワンタッチボタンを不要とし、コストを低減するボタン電話装置が開示されている（例えば、特許文献３参照）。このボタン電話装置は、図８に示すように、電話番号記憶部８１１が発信先の複数の電話番号を記憶しており、指紋記憶部８１２が使用者の個人情報として、複数の指の指紋情報を記憶する。圧力検出部８０１が指紋入力を検出し、指紋読み取り部８０３が入力された指紋を読み取り、符号化部８０２が読み取られた指紋を符号化する。そして、制御部８００は、符号化部８０２で符号化された指紋情報を受け取り、指紋記憶部８１２に記憶されている指紋情報と照合し、一致した指紋情報に関連付けて登録されている電話番号を電話番号記憶部８１１から取り出し、自動ダイヤルする。
【０００５】
また、ＩＳＤＮ端末装置における従来の余分なキー操作やダイヤル操作後の空白時間をなくして、操作性を向上させたＩＳＤＮ端末装置が開示されている（例えば、特許文献４参照）。この特許文献４に開示されたＩＳＤＮ端末装置は、図９に示すように、レジスタ９０５が端末操作部で入力された相手先番号を保存し、照合回路９０３が地域情報メモリ９０２に記憶されている既存の番ごと１桁毎に照合する。制御部９０１は、その結果、市内，市外，特殊番号等相手先番号の総桁数を確定し、呼設定メッセージ生成部９０７は、確定された番号情報を含む項設定メッセージを生成し、これを送受信信号処理回路９１０および回線インタフェース部９０８を介してＩＳＤＮ回線へ自動的に送出する。
【０００６】
【特許文献１】特開平０４−１５０６５１号公報
【特許文献２】特開２００５−１３０３８５号公報
【特許文献３】特開２００１−３０９４１４号公報
【特許文献４】特開平０９−１３０４６７号公報
【発明の開示】
【発明が解決しようとする課題】
【０００７】
しかしながら、特許文献１に開示された従来の上記ＶｏＩＰアダプタ７０では、タイマが完了する迄、又は全ての選択信号やダイヤルを受信してから発信処理を実行する構成となっているため、呼び出し時間を短縮できないという不都合があった。
又、特許文献２に開示された技術では、特定された所定の操作をしないと発信処理ができないという不都合があった。
【０００８】
更に、特許文献３の上述したボタン電話装置では、発信先の選択を簡易化しただけであって、その後の相手先からの呼び出し時間を短縮できないという問題点があった。ここで、このボタン電話装置は、ＩＰ（Internet Protocol)ネットワークを介して端末装置間に音声情報を送受信する機能は備えてはいない。
【０００９】
また、特許文献４の上述したＩＳＤＮ端末装置では、市内，市外，特殊番号等、相手先番号の総桁数を確定したのち、呼設定メッセージを生成するので、呼設定メッセージを生成するまでに時間を要し、呼び出し時間を十分に短縮できないという問題点があった。また、このＩＳＤＮ端末装置は、ＩＰ（Internet Protocol)ネットワークを介して端末装置間に音声情報を送受信する機能は備えてはいない。
【００１０】
本発明は、上述した種々の問題点に鑑み、ＩＰネットワークを介して端末装置間に電話番号等の音声情報の発信時間を有効に短縮し得る音声発信制御装置、音声発信制御方法、及び音声発信制御プログラムを提供することを、その目的とする。
【課題を解決するための手段】
【００１１】
上記目的を達成するため、本発明にかかる音声発信制御装置は、一方の端末装置から加入者回線網を介して送り込まれる電話番号等の選択信号に基づいて送受信処理部がＩＰネットワークを介して他方の端末装置へ送信処理を行うのを制御する主制御部と、予め登録された電話番号を含む送信先情報を記憶した送信先情報記憶部と、前記一方の端末装置から送り込まれる前記選択信号を構成する数字をその数字の受信順に順次記憶する選択信号記憶部とを備え、前記主制御部が、前記選択信号記憶部に記憶される選択信号の個々の数字を受信の度に前記送信先情報記憶部に登録されている送信先情報に含まれる電話番号の対応する箇所と順次比較してその一致又は不一致をリアルタイムで順次判定する比較判定機能と、この比較判定機能により前記選択信号の最初の数字との比較で一致すると判定された送信先情報を特定しこの特定した送信先情報に基づいた送信処理を前記送受信処理部に対して直ちに実行させる発信動作処理機能と、前記比較判定機能により不一致であると判定された送信先情報についてはそれに基づく送信処理を前記送受信処理部に直ちに中止させる発信停止処理機能と、前記選択信号の全数字の受信が完了したときに作動し、前記送信先情報に基づいた送信処理が実行されていないと判断した場合に前記選択信号記憶部に記憶された当該選択信号に基づいた送信処理を前記送受信処理部に実行させる通常発信処理機能と、を備えていることを特徴とする。
【００１２】
このため、本発明では、一方の端末装置から受信される電話番号の一部である選択信号を予め記憶した送信先情報と受信順に順次比較して一致している場合には直ちにその送信先情報に基づいた発信処理を実行するようにしたので、一方の端末装置から受信される選択信号が受信完了前に発信され、これがため、送信先情報記憶部に予め記憶されている送信先情報にかかる他方の端末装置（相手端末）の呼出時間を有効に短縮することが可能となる。
【００１３】
また、このようにすると、順次受信中の選択信号に予め記憶した送信先情報との不一致箇所が出た段階で、直ちにその送信先情報に基づいた送信が停止されるので、誤った信号発信を確実に停止することができ、かかる点において発信動作の混乱を予め有効に回避するこが可能となるという利点がある。
【００１４】
更に、このようにすると、送信先情報記憶部に記憶されていないダイヤル情報等が送り込まれても、これに有効に対応して他方の端末装置に当該選択信号を送信することができ、ＩＰネットワークを介して一方と他方の端末装置を通常の場合と同様に円滑に連結することができるという利点がある。
【００１５】
削除
【００１６】
削除
【００１７】
ここで、前述した送受信処理部に前記選択信号を受信する選択信号受信部を併設すると共に、前記選択信号受信部が、前記選択信号の個々の数値を受信の度に稼働して当該選択信号と前記送信先情報記憶部に記憶されている送信先情報とを比較させる比較要求を前記選択信号にかかる数値情報が入力される度に前記主制御部に向けて出力する機能を有し、前記主制御部を、前記選択信号受信部から前記比較要求があった場合に前記比較判定機能を稼働させる構成としてもよい。
【００１８】
又、本発明では、前述した主制御部は、前記選択信号受信部からの数値情報の入力後に予め定めた所定時間内に前記比較要求がなかった場合には、前記選択信号がないと判定する機能を備えているように構成してもよい。
【００２０】
削除
【００２１】
上記目的を達成するため、本発明にかかる音声発信制御方法は、一方の端末装置から加入者回線網を介して送り込まれる電話番号等の選択信号に基づいてＩＰネットワークを介して他方の端末装置へ送信処理を行うシステムの動作を制御する音声発信制御方法において、前記一方の端末装置から送り込まれる前記選択信号を構成する数字を順に受信しその数字を受信順に選択信号記憶部に順次記憶する第１の工程と、この記憶される選択信号の個々の数字を受信の度に予め送信先情報記憶部に記憶された送信先情報に含まれる電話番号の対応する箇所とリアルタイムで順次比較して一致又は不一致を判定する第２の工程とを備え、前記選択信号の最初の数字と比較した時に一致すると判定された送信先情報に基づく送信処理を予め装備した送受信処理部を介して行う第３の工程と、不一致の箇所が判定された送信先情報に基づく送信処理を中止する発信停止処理工程と、前記第１の工程による前記選択信号の受信が全て完了したときに、前記送信先情報に基づいた送信処理が実行されていない場合、前記選択信号記憶部に記憶された当該選択信号に基づいた送信処理を実行する通常送信処理工程とを備えていることを特徴とする。
【００２２】
このため、これによると、時系列的に送られて来る選択信号を予め記憶されている送信先情報とリアルタイムで順次比較し、最初の番号が一致した送信先情報を同時に送信するので、ＩＰネットワークに対する発信動作に無駄が無くなり、前述した一方の端末装置から送り込まれる選択信号の受信完了と同時にＩＰネットワークに対する発信動作も完了するという従来にない効率のよい送信動作が実行される。
【００２３】
また、このようにすると、予め記憶している送信先情報と選択信号とに不一致箇所が出た段階で対する発信動作を、瞬時に停止することができ、他方の端末装置の誤動作を有効に回避することができる。
【００２４】
また、このようにすると、送信先情報と不一致の選択信号に対しては通常の発信動作を確実に実行することができ、これにより、予め送信先情報として記憶されていない選択信号に対しても、本来の通話回線設定が有効に担保されるという利点がある。
【００２６】
削除
【００２７】
上記目的を達成するため、本発明にかかる音声発信制御プログラムは、一方の端末装置から加入者回線網を介して送り込まれる電話番号等の選択信号に基づいてＩＰネットワークを介して他方の端末装置へ送信処理を行うシステムの動作を制御する音声発信制御プログラムにおいて、前記一方の端末装置から送り込まれる前記選択信号を選択信号受信部で順次受信する受信処理、この受信処理された選択信号を構成する数字を受信順に選択信号記憶部に順次記憶処理する選択信号記憶処理、この順次記憶された選択信号を構成する個々の数字を受信の度に予め送信先情報記憶部に記憶された送信先情報に含まれる電話番号の対応する箇所とリアルタイムで順次比較して一致又は不一致を判定する比較判定処理、前記選択信号の最初の数字と比較した時に一致すると判定された送信先情報に基づいた送信処理の実行を送受信処理部に指令する発信動作処理、不一致であると判定された送信先情報に基づく送信処理が実行されてた場合にその送信処理の停止を前記送受信処理部に指令する発信停止処理、及び、前記受信処理による前記選択信号の全数字の受信が完了したときに、前記送信先情報に基づいた送信処理が実行されていない場合、前記選択信号記憶部に記憶された当該選択信号に基づいた送信処理の実行を送受信処理部に指令する通常送信処理、をコンピュータに実行させるようにしたことを特徴とする。
【００２９】
削除
【発明の効果】
【００３０】
本発明は以上のように構成され機能するので、これによると、一方の端末装置から受信される電話番号等の選択信号の数字を受信の度に予め記憶した送信先情報の対応する箇所と比較し、最初の数字が一致している場合には直ちにその一致した送信先情報に基づいた送信処理を実行して、不一致になった送信先情報についてはその送信先情報に基づく送信処理を中止するようにしたので、選択信号と同一の電話番号を含む送信先情報が予め記憶されていれば、選択信号の受信完了前に対応する送信処理が実行され、ＩＰネットワークを介して一方の端末装置から他方の端末装置へ向けて発信される電話番号等の選択信号の発信時間を有効に短縮することができ、これがため、他方の端末装置（相手の端末）の呼出し時間を短かくすることができるという従来にない優れた音声発信制御装置、音声発信制御方法、及び音声発信制御プログラムを提供することができる。
【発明を実施するための最良の形態】
【００３１】
以下、本発明の最良の実施形態を、図１乃至図３に基づいて説明する。
【００３２】
（本実施形態の構成）
図１に、本実施形態にかかる音声発信制御装置のブロック構成を示す。
この図１に示す音声発信制御装置１０は、ＩＰネットワーク（ＩＰ網）４０に接続され一方の端末装置２０から送り込まれる電話番号（ダイアル情報）等の選択信号を送受信処理部１０５がＩＰ網４０を介して他方の端末装置へ送信するのを制御する主制御部１００と、前記電話番号を含む送信先情報が記憶された送信先情報記憶部１０４と、一方の端末装置２０から送り込まれる選択信号をその数字の受信順に順次記憶する選択信号記憶部１０３とを備えた構成となっている。
【００３３】
この内、主制御部１００は、前記選択信号記憶部１０３に記憶される選択信号の数字を受信する度に前記送信先情報記憶部１０４に予め記憶されている送信先情報と順次比較して一致又は不一致を判定する比較判定機能と、一致すると判定された場合に前記送受信処理部１０５に対して当該受信した選択信号と一致した送信先情報の発信を指令する発信動作処理機能とを備えている。
又、上述した主制御部１００は、前述した比較判定機能が作動して前記受信された選択信号が前記送信先情報記憶部１０４に記憶されている送信先情報と不一致であると判定した場合に作動して前記送受信処理部１０５に対して当該受信した選択信号と一致していない送信先情報の発信停止を指令する発信停止処理機能を備えている。
【００３４】
更に、前述した選択信号記憶部１０３は、一方の端末装置２０から送り込まれる選択信号を継続して順次記憶すると共に、この選択信号の受信が完了した場合に、前述した主制御部１００は選択信号記憶部１０３に記憶された選択信号の発信を前記送受信処理部１０５に対し指令する通常発信処理機能を備えている。
【００３５】
又、送受信処理部１０５からの選択信号の発信動作は、図１に示すように実際にはＩＰ網インターフェース部１０８からＩＰネットワーク４０を介して通信相手である他方の端末装置（図示せず）に向けて成されるようになっている。
更に、一方の端末装置２０から加入者回線網３０を介して送り込まれる選択信号は、実際には端末インタフェース部１０１を介して選択番号受信部１０２で受信され、その後に選択信号記憶部１０３に記憶されるようになっている。
【００３６】
以下、これを更に詳細に説明する。
前述した音声発信制御装置１０は、加入者回線網３０とＩＰ網４０との間の異なる通信方式を結合させるもので、例えばＶｏＩＰアダプタ（ゲートウェイ）として機能し得るように、上述した構成を備えている。
【００３７】
ここで、上述した各インタフェース部（入出力部）１０１，１０８および各記憶部１０３，１０４，１０７を除く他の構成要素（主制御部１００，選択信号受信部１０２，及び送受信処理部１０５）は、本実施形態では予め装備されたＣＰＵ（図示せず）がこれに並設されたＲＯＭ等に記憶されている制御プログラムを実行することにより生成され、それぞれが後述するように各種機能を実行するように設定されている。又、選択信号記憶部１０３，送信先情報記憶部１０４，及び発信処理有無フラグ記憶部１０７は、読み書き可能なＲＡＭ等（図示せず）によって構成されるようになっている。
又、端末インタフェース部１０１は、通信用のコネクタやジャックであって、加入者回線３０と選択信号受信部１０２との間を通信に関して入出力する。
【００３８】
選択信号受信部１０２は、選択信号を受信する手段及び選択信号を更新する手段として機能し、端末インタフェース部１０１を介して端末装置２０から送信された電話番号を選択信号として受信する。また、この選択信号受信部１０２は、電話番号の一部をなす選択信号と、この電話番号からなる送信先情報とを比較させる要求（以下「比較要求」という）を主制御部１００に対して出力する機能を備えている。
【００３９】
選択信号記憶部１０３は、端末装置２０から送り込まれる選択信号の数字を順次受信し、その順に記述した選択信号を記憶する。例えば、前回受信した選択信号が「１」で、今回受信した選択信号が「２」である場合には、選択信号記憶部１０３は、「１」と「２」とが連続した「１２」なる選択信号を記憶する。
【００４０】
ここで、前述した送信先情報記憶部１０４には、相手の端末装置（図示せず）の電話番号が記述された送信先情報が、予め記憶されている（図２参照）。
【００４１】
ＩＰ網インタフェース１０８は、前述した端末インタフェース部１０１と同様に通信用のコネクタやジャックであって、ＩＰ網４０と送受信信処理部１０５の間を通信に関してインターフェースする。
主制御部１００は、前述した比較判定手段としての機能を有し、同時に後述する送信処理有無判定手段としての機能をも兼ね備えている。
【００４２】
この比較判定手段として機能する主制御部１００は、前述した選択信号受信部１０２から比較要求が入力されると、選択信号記憶部１０３から選択信号を読み出し、この読み出された選択信号と送信先情報記憶部１０４に登録されている送信先情報とが一致する否かを判定する。この場合、受信され記憶される個々の数値を受信の度にリアルタイムで、その一致／不一致を判定する。
【００４３】
そして、この主制御部１００は、連続選択信号と送信先情報とが一致しないと判定した場合には、更に、送信処理有無フラグ記憶部１０７から送信先情報に基づいた送信処理がすでに行われたか否かを示すフラグ（以下「送信処理有無フラグ」という）を読み出し、送信先情報に基づいた送信処理がすでに行われたか否かを判定する。
【００４４】
ここで、上述した送信処理有無判定手段としての主制御部１００は、送受信処理部１０５により送信処理が実行されると、送信処理有無フラグ記憶部１０７に記憶されている送信処理有無フラグを「０」から「１」に更新する。ここで、送信処理フラグが「０」の場合には送信処理が未だ行われていないことを示し、「１」の場合には送信処理がすでに行われたことを示す。
送信処理有無フラグ記憶部（送信処理情報記憶手段）１０７は、上記送信処理有無フラグを記憶する。
【００４５】
送受信処理部（送信処理実行手段）１０５は、相手先の通信装置のＩＰアドレスを、例えば、ゲートキーパー（図示せず）から取得する処理，呼設定処理，音声圧縮符合化，ＩＰパケットの組立等の処理を行い、生成したＩＰパケットをＩＰ網インタフェース１０８に出力する。
また、この送受信処理部１０５は、ＩＰ網４０を介して相手先である他方の端末装置（図示せず）から、端末装置２０に送信する情報を有するＩＰパケットをＩＰ網インタフェース１０８から入力すると、当該ＩＰパケットから端末装置２０に送信する情報を取り出す、いわゆるパケット分解処理を行い、次に、音声を伸張復号した情報を生成する。そして、送受信処理部１０５は、生成した情報を端末インタフェース部１０１を介して前述した一方の端末装置２０に向けて送信する。これにより、相互通信が成されるようになっている。
【００４６】
また、送受信処理部１０５は、主制御部１００により、送信処理がすでになされたと判定された場合には、当該主制御部１００の指令に基づいて作動し先に実行された送信処理を中止する機能を備え、送信処理中止手段としても機能する。
【００４７】
（本実施形態の動作）
次に、上記実施形態にかかる音声発信制御装置の動作を、図３に基づいて説明する。
最初に全体的な動作手順を示し、その後に具体的な動作内容を順次説明する。
【００４８】
ＩＰネットワークに接続され一方の端末装置２０から送り込まれる電話番号（ダイアル情報）等の選択信号は、端末インターフェース部１０１を介して選択信号受信部１０２で受信され選択信号記憶部１０３で順次記憶される（第１の工程：選択信号記憶工程）。
次に、この順次記憶された選択信号は、主制御部１００で予め送信先情報記憶部１０４に記憶された送信先情報と順次比較され、その一致又は不一致がリアルタイムで順次比較判定される（第２の工程：判定工程）。
そして、一致した場合には、送受信処理部１０５，ＩＰ網インターフェース部１０８から、前記ＩＰネットワーク４０を介して前記他方の端末装置に向けて、当該受信した選択信号と一致した送信先情報が順次発信される（第３の工程：発信動作処理工程）。
【００４９】
ここで、受信した選択信号が前記第２の工程（判定工程）で前記送信先情報記憶部１０４に記憶されている送信先情報と不一致であると判定された場合には、前記送受信処理部１０５に対して当該受信した選択信号と一致していない送信先情報の発信停止が指令される（発信停止処理工程）。
この発信停止処理は、前述した第３の工程の実行中であっても、前述した主制御部１００の指令に基づいて優先的に適用される。
【００５０】
又、前述した第１の工程（選択信号記憶工程）では、前記送受信処理部１０５による発信停止処理の実行後も前記一方の端末装置２０から送り込まれる選択信号は継続して受信され、選択信号記憶部１０３で順次記憶される。そして、前述した第１の工程（選択信号記憶工程）による選択信号の受信完了後に、当該記憶された選択信号は、主制御部１００からの指令によって送受信処理部１０５で送信処理され、ＩＰ網インターフェース部１０８を介してＩＰネットワーク４０に発信される（通常発振処理工程）。
【００５１】
以下、これを更に詳述する。
まず、本実施形態にあっては、送信先情報記憶部１０４には、図２に示すように送信先情報１，送信先情報２，および送信先情報３が予め登録されている。
【００５２】
一方の端末装置２０から相手先である他方の端末装置との間に呼設定するための選択信号が加入者回線網３０を介して送り込まれると、端末インタフェース部１０１は、この選択信号を選択信号受信部１０２に入力する（ステップＳ１０）。
選択信号受信部１０２は、入力された選択信号を選択信号記憶部１０３に記憶させると共に（ステップＳ１１：第１の工程）、選択信号と送信先情報とを比較させる比較要求を主制御部１００に対して出力する。この場合の比較要求は選択信号にかかる最初の数字情報が入力された場合に直ちに出力され、続いて当該選択信号にかかる数字情報が入力される度に出力される。
【００５３】
主制御部１００は、選択信号受信部１０２から比較要求が入力されると、選択信号記憶部１０３から受信され記憶されたばかりの選択信号にかかる数字を読み出し、この選択信号にかかる数字と、送信先情報記憶部１０４に登録されている送信先情報の対応する箇所とが一致するか否かを判定する（ステップＳ１２：第２の工程）。
主制御部１００は、連続選択信号と送信先情報とが一致しないと判定した場合には（ステップＳ１２；ＮＯ）、更に、送信処理有無フラグ記憶部１０７から送信処理有無フラグを読み出し、送信先情報に基づいた送信処理がすでに行われたか否かを判定する（ステップＳ１３）。
【００５４】
主制御部１００は、送信処理有無フラグ記憶部１０７から読み出した送信先処理有無フラグが「０」で、送信先情報に基づいた送信処理が未だに行われていないと判定した場合には（ステップＳ１３；ＮＯ）、ステップＳ１５に処理を移行する。
一方、主制御部１００は、送信処理有無フラグ記憶部１０７から読み出した送信先処理有無フラグが「１」で、送信先情報に基づいた送信処理が既に行われたと判定した場合には（ステップＳ１３；ＹＥＳ）、既に行われた送信先情報に基づいた送信処理を中止する（ステップＳ１４：発信停止処理工程）。
【００５５】
その後、端末インタフェース部１０１は、端末装置２０からの選択信号を待つ。主制御部１００は、選択信号受信部１０２から比較要求が所定時間以内に入力されたか否かで、端末装置２０から選択信号があるか否かを判定する（ステップＳ１５）。主制御部１００は、所定時間以内に比較要求が選択信号受信部１０２から入力された場合、即ち受信する選択信号があると判定した場合には（ステップＳ１５；ＹＥＳ）、ステップＳ１０に処理を移行し、上述したと同様な処理を続行する。
一方、主制御部１００は、所定時間を経過しても比較要求が選択信号受信部１０２から入力されない場合、即ち受信する選択信号がないと判定した場合には（ステップＳ１５；ＮＯ）、送信処理有無フラグ記憶部１０７から送信処理有無フラグを読み出し、送信先情報に基づいた送信処理がすでに行われたか否かを判定する（ステップＳ１６）。
【００５６】
主制御部１００は、送信処理有無フラグ記憶部１０７から読み出した送信先処理有無フラグが「１」で、送信先情報に基づいた送信処理がすでに行われたと判定した場合には（ステップＳ１６；ＹＥＳ）、処理を終了する。
一方、主制御部１００は、送信処理有無フラグ記憶部１０７から読み出した送信先処理有無フラグが「０」で、送信先情報に基づいた送信処理が未だに行われていないと判定した場合には（ステップＳ１６；ＮＯ）、送信先情報に基づかない送信処理，即ち選択信号記憶部に記憶されているすべての番号が記憶された電話番号としての当該選択信号に基づかない送信処理を実行させる命令を送受信処理部１０５に出力する。
ここで、上述した受信する選択信号がないと判定された場合（ステップＳ１５；ＮＯ）で且つ送信処理が未だに行われていないと判定された場合（ステップＳ１６；ＮＯ）は、受信された選択信号（電話番号）に対応する送信先情報が送信先情報記憶部１０４に登録されていない場合であり、新規な選択信号（電話番号）が受信されたことを意味する。かかる場合、前述した主制御部１００は、前述した通常発信処理機能（段落番号００３４参照）を作動させて上記新規な選択信号（電話番号）の送受信処理を送受信処理部１０５に指令する。
【００５７】
かかる場合、送受信処理部１０５は、ゲートキーパ（図示せず）から相手先（通信相手である他方の端末装置）の音声発信制御装置のＩＰアドレスを取得し、その後、呼設定処理，音声圧縮符合化，ＩＰパケットの組立，等の送信処理を行い（ステップＳ１７）、生成したＩＰパケットをＩＰ網インタフェース１０８に出力する。ＩＰ網インタフェース１０８は、このＩＰパケットをＩＰ網４０に送信し（ステップＳ１８：通常発振処理工程）、これをもって処理を終了する。
【００５８】
これに対し、ステップＳ１２において、主制御部１００は、選択信号と送信先情報とが一致すると判定した場合には（ステップＳ１２；ＹＥＳ）、更に、送信処理有無フラグ記憶部１０７から送信処理有無フラグを読み出し、送信先情報に基づいた送信処理が既に行われたか否かを判定する（ステップＳ１９）。
【００５９】
主制御部１００は、読み出した前記送信先処理有無フラグが「１」で、送信先情報に基づいた送信処理がすでに行われたと判定した場合には（ステップＳ１９；ＹＥＳ）、ステップＳ１５に処理を移行する。
一方、主制御部１００は、送信処理有無フラグ記憶部１０７から読み出した送信先処理有無フラグが「０」で、送信先情報に基づいた送信処理が未だに行われていないと判定した場合には（ステップＳ１９；ＮＯ）、送信先情報に基づく送信処理、すなわち、送信先情報記憶部１０４に登録されている該当する送信先情報（電話番号）に基づいた送信処理を実行させる命令を送受信処理部１０５に出力する。
【００６０】
送受信処理部１０５は、主制御部１００から入力された命令に基づき、当該送信先情報を有するＩＰパケットの組立等の送信処理を行い（ステップＳ２０）、生成したＩＰパケットをＩＰ網インタフェース１０８に出力する。ＩＰ網インタフェース１０８は、このＩＰパケットをＩＰ網４０上の装置へ送信し（ステップＳ２１：第３の工程）、ステップ１５に処理を移行し、上述したと同様な処理を続行させる。
【００６１】
ここで、前述した選択信号記憶部による選択信号記憶処理、主制御部１００による受信され記憶されたばかりの選択信号にかかる数字と送信先情報記憶部１０４に登録されている送信先情報の対応する箇所との一致／不一致にかかる比較判定処理、および送受信処理部を介して実行される発信動作処理、をコンピュータに実行させるように構成してもよい。
又、前記主制御部１００によって実行される前記送受信処理部に対する選択信号の発信停止処理を、前記発信動作処理に優先する処理としてコンピュータに実行させるように構成してもよい。更に、前記選択信号記憶処理により記憶された前記発信停止にかかる選択信号を受信完了後に前記ＩＰネットワークに対して発信する通常発信処理を、コンピュータに実行させるように構成してもよい。
【００６２】
このように、上記本実施形態によれば、主制御部１００により、順次送り込まれる選択信号と同一桁をなす送信先情報の番号部分が一致すると判定された場合には、送受信処理部１０５が、判定対象となったすべての送信先情報により指定された相手端末装置に対して、順次送り込まれる選択信号に合わせて音声情報を順次送信処理するので、一方の端末装置２０からの選択信号の受信が完了した場合には対応する送信先情報の相手端末装置に対して、電話番号等の音声情報の送信処理が完了することと成り、これがため、相手端末装置に対する通話時の呼出し時間を大幅に短縮することが可能となる。
【００６３】
即ち、本実施形態では、一方の端末装置２０から受信される電話番号の一部である選択信号を予め記憶した送信先情報と受信順に順次比較して最初の番号が一致している場合には直ちにその該当する送信先情報に基づいた発信処理を実行するようにしたので、一方の端末装置２０から受信される選択信号の受信完了前に発信され、これがため、送信先情報記憶部１０４に予め記憶されている送信先情報にかかる他方の端末装置（相手端末）の呼出時間を有効に短縮することが可能となる。
【００６４】
又、本実施形態では、主制御部１００による判定機能によって順次受信中の選択信号に予め記憶した送信先情報との不一致箇所が出た段階で、直ちにその送信先情報に基づいた送信動作が停止されるので、誤った信号発信を確実に停止することができ、無駄な送信処理の実行を防止することができ、かかる点において発信動作の混乱を予め有効に回避するこが可能となる。
【００６５】
更に、前述した選択信号記憶部１０４は、前記一方の端末装置から送り込まれる前記選択信号を継続して順次記憶すると共に、この選択信号の受信が完了した場合に、前記主制御部１００は前記選択信号記憶部１０４に記憶された選択信号の発信を前記送受信処理部１０５に対し指令する通常発信処理機能を備えているので、送信先情報記憶部１０４に記憶されていないダイヤル情報等が送り込まれても、これに有効に対応して相手の端末装置に当該選択信号を送信することができ、ＩＰネットワークを介して一方と他方の端末装置を通常の場合と同様に円滑に連結することができるという利点がある。
【００６６】
〔応用例〕
次に、上記実施形態の応用例を図４に基づいて説明する。
ここで、前述した実施形態（図１乃至図３）で開示した構成要素と同一に機能する構成要素は同一の符号を用いるものとする。又、この応用例では、最初に全体的な構成内容を示し、その後に具体的な内容を開示する。
【００６７】
（構成）
まず、この図４の応用例における音声発信制御装置では、一方の端末装置２０から送り込まれる選択信号の桁数を記憶する桁数記憶手段としてのカウント記憶部１１０と、前記選択信号が端末インタフェース部１０１および選択信号受信部１０２で順次受信される度に選択信号記憶部１０３に記憶されている選択信号の数桁数を１だけ加算する加算手段としてのカウント更新部１０９とを備えている。
【００６８】
又、この第２の実施形態における音声発信制御装置では、前記カウント記憶部（桁数記憶手段）１１０に記憶されている前記受信された選択信号の桁数（受信カウント数）が、所定桁数に達したか否かを前記送信先情報記憶部１０４に予め記憶されている選択信号の桁数と比較して判定する桁数判定手段としてのカウント比較演算部１１１を備えている。
【００６９】
そして、この図４の応用例における音声発信制御装置では、上述したカウント比較演算部（桁数判定手段）１１１によって前記選択信号の桁数（受信カウント数）が所定桁数に達したと判定された場合に、前記主制御部１００の比較判定機能および発信動作処理機能が稼働し、前記選択信号記憶部１０３に記憶された前記選択信号を前記送受信処理部１０５を介して発信するように構成されている。
【００７０】
ここで、前述した図１の実施形態における主制御部１０の比較判定機能の内容が、この図４の応用例では、前記選択信号記憶部に記憶される選択信号を受信した後に、前記送信先情報記憶部に予め記憶されている対応する桁数の送信先情報とそれぞれ比較して、その各桁の数字の一致又は不一致を順次判定するように構成されている。
【００７１】
以下、これを更に詳細に説明する。
図４に示すように、この応用例における音声発信制御装置１０は、前述した第１実施形態の場合と同様に、加入者回線網３０とＩＰ網４０との間の異なる通信方式を結合させる、例えばＶｏＩＰアダプタ（ゲートウェイ）であって、端末インタフェース部１０１、選択信号受信部１０２と、選択信号記憶部１０３と、送信先情報記憶部１０４と、ＩＰ網インターフェース部１０５と、主制御部１００と、送信処理有無フラグ記憶部１０７と、送受信処理部１０５とを備えている。
更に、この図４に示す応用例では、選択信号にかかる数字情報が入力された回数を逐次更新するカウント更新部１０９と、更新された回数（桁数）を記憶するカウント記憶部１１０と、この記憶された回数（桁数）と所定の送信先情報の桁数とを比較するカウント比較演算部１１１とが備えられている。
【００７２】
ここで、選択信号受信部１０２，主制御部１００，発信処理部１０７，カウント更新部１０９，及びカウント比較演算部１１１は、ＣＰＵ（図示せず）がＲＯＭ等に記憶されている制御プログラムを実行することにより生成され、後述する機能を実行する。又、選択信号記憶部１０３，送信先情報記憶部１０４，発信処理有無フラグ記憶部１０７，及びカウント記憶部１１０は、読み書き可能なＲＡＭ等（図示せず）に記憶されている。
尚、端末インタフェース部１０１，選択信号記憶部１０３，送信先情報記憶部１０４，ＩＰ網インターフェース部１０５，主制御部１００，送信処理有無フラグ記憶部１０７，及び送受信処理部１０５は、前述した図１に示す実施形態のものと同様の構成を備えたものが使用されている。
【００７３】
上述した選択信号受信部１０２は、端末インタフェースー部１０１を介して端末装置２０から送信されてきた選択信号を受信し選択信号記憶部１０３に記憶させると共に、カウント更新部１０９にカウント記憶部１１０に記憶されているカウント「Ｎ」に１を加算させる要求を出力する。ここで、カウント「Ｎ」は電話番号等に対応した選択信号を受信した回数（単数の数字が何個入力されたかを計数した数）を示す。
【００７４】
又、主制御部１００は、この図４に示す応用例では、選択信号と送信先情報とを比較させる要求をカウント比較演算部１１１から入力されると、前述した図１に示す実施形態の場合と同様に選択信号と送信先情報とを比較する。
【００７５】
カウント更新部（加算手段）１０９は、選択信号受信部１０２から入力された加算要求に基づき、カウント記憶部１１０に記憶されているカウント「Ｎ」に１を加算した値「Ｎ＋１」を算出し、この「Ｎ＋１」をカウント記憶部１１０に記憶させる。又、カウント更新部１０９は、カウント記憶部１１０のカウント「Ｎ」に１を加算した値に更新したのち、カウント比較演算部１１１に対して、後述するカウントの比較を実行させる要求を出力する。このカウント記憶部（選択信号数記憶手段）１１０は、上記設定されたカウント「Ｎ」を記憶する。
【００７６】
カウント比較演算部（回数判定手段）１１１は、カウント記憶部１１０に記憶されているカウントＮと所定値Ｍとを比較し、カウントＮが所定値Ｍに達したか否かを判定する。そして、カウント比較演算部１１１は、カウントＮが所定値Ｍに達したと判定した場合には、選択信号と発信先情報とを比較させる比較要求を主制御部１００に出力する機能を備えている。
その他の構成は前述した図１に示す実施形態と同一となっている。
【００７７】
（上記応用例の動作）
次に、上記応用例の動作を、図６に基づいて説明する。
この図６に示す応用例においても、前述した図１の実施形態における動作の場合と同様に、まず、ＩＰネットワークに接続され一方の端末装置２０から送り込まれる電話番号（ダイアル情報）等の選択信号が、端末インターフェース部１０１を介して選択信号受信部１０２で受信され選択信号記憶部１０３で順次記憶される（第１の工程：選択信号記憶工程）。
【００７８】
次に、この順次記憶された選択信号は、主制御部１００の主制御部１００で予め送信先情報記憶部１０４に記憶された送信先情報と順次比較され、その一致又は不一致がリアルタイムで順次比較判定される（第２の工程：判定工程）。そして、一致した場合には送受信処理部１０５，ＩＰ網インターフェース部１０８を介して、前記ＩＰネットワーク４０に当該受信した選択信号が順次発信される（第３の工程：発信動作処理工程）。
ここで、前述した送信先情報記憶部１０４には予め送信先情報１，送信先情報２，送信先情報３，及び送信先情報４等が登録されているものとする（図５参照）。
【００７９】
更に、この図６の応用例にあっては、上記第１の工程（選択信号記憶工程）で選択信号記憶部１０３に記憶される選択信号の桁数を計数して桁数記憶手段としてのカウント記憶部１１０に記憶する桁数記憶工程と、前記選択信号が順次受信される度に前記記憶された選択信号の桁数を加算手段（カウント更新部）１０９で１だけ加算して更新する加算工程と、この記憶された選択信号の桁数が所定桁数以上であるか否かを送信先情報記憶部１０４に予め記憶されている桁数と比較して判定する桁数判定工程とを備えている。この桁数判定工程は、カウント比較演算部（桁数判定手段）１１１で実行される。
【００８０】
そして、この桁数判定工程によって前記選択信号の桁数が所定桁数に達したと判定された場合に前述した第２の工程（判定工程）が稼働し、選択信号記憶部１０３に記憶された前記選択信号が送信先情報記憶部１０４に記憶されている送信先情報に対して当該桁数が所定桁数に達した選択信号の同一桁をなす部分が一致するか否かの比較判定が実行されるようになっている。
【００８１】
以下、これを更に詳細に説明する。
まず電源が立ち上がると、カウント更新部（加算手段）１０９は、カウント記憶部（桁数記憶手段）１１０に記憶されているカウント値「Ｎ」に「０」を代入する（ステップＳ２０）。その後、端末インタフェース部１０１は、端末装置２０から相手先の端末装置との間に呼設定するための選択信号が加入者回線網３０を介して受信すると、この選択信号を選択信号受信部１０２に出力する（ステップＳ２１）。
【００８２】
すると、選択信号受信部１０２は、入力された選択信号を選択信号記憶部１０３に記憶させると共に（ステップＳ２２）、カウント記憶部１１０に記憶されているカウント値「Ｎ」に１を加算させる加算要求をカウント更新部１０９に出力する。
【００８３】
カウント更新部１０９は、選択信号受信部１０２から加算要求が入力されると、カウント記憶部１１０に記憶されているカウント値「Ｎ」に１を加算した値を、新たにカウント値「Ｎ」として、この値をカウント記憶部１１０に記憶する（ステップＳ２３）。その後、カウント更新部１０９は、カウント比較演算部（桁数判定手段）１１１にカウントの比較要求を出力する。
【００８４】
その後、カウント比較演算部１１１は、カウント記憶部１１０に記憶されているカウント値「Ｎ」を読み出し、このカウント値「Ｎ」と比較決定値「Ｍ」とを比較し、カウント値「Ｎ」が比較決定値「Ｍ」以上であるか否かを判定する（ステップ２４）。カウント比較演算部１１１は、カウント値「Ｎ」が比較決定値「Ｍ」以上であると判定した場合には（ステップＳ２４；ＹＥＳ）、主制御部１００に対して比較要求を出力する。
【００８５】
主制御部１００は、選択信号受信部１０２から比較要求が入力されると、選択信号記憶部１０３から連続選択信号を読み出し、この連続選択信号と、送信先情報記憶部１０４に登録されている送信先情報とが一致する否かを判定する（ステップＳ２５）。主制御部１００は、連続選択信号と送信先情報とが一致しないと判定した場合には（ステップＳ２５；ＮＯ）、更に、送信処理有無フラグ記憶部（送信処理情報記憶手段）１０７から送信処理有無フラグを読み出し、送信先情報に基づいた送信処理がすでに行われたか否かを判定する（ステップＳ２６）。
【００８６】
主制御部１００は、送信処理有無フラグ記憶部１０７から読み出した送信先処理有無フラグが「０」で、送信先情報に基づいた送信処理が未だに行われていないと判定した場合には（ステップＳ２６；ＮＯ）、ステップＳ１５に処理を移行する。一方、主制御部１００は、送信処理有無フラグ記憶部１０７から読み出した送信先処理有無フラグが「１」で、送信先情報に基づいた送信処理がすでに行われたと判定した場合には（ステップＳ２６；ＹＥＳ）、すでに行われた送信先情報に基づいた送信処理を中止する（ステップＳ２７）。
【００８７】
その後、端末インタフェース部１０１は、端末装置２０からの選択信号の受信をまち、主制御部１００は、選択信号受信部１０２から比較要求が所定時間以内に入力されたか否かで、端末装置２０から選択信号があるか否かを判定する（ステップＳ２８）。主制御部１００は、所定時間以内に比較要求が選択信号受信部１０２から入力された場合、すなわち受信する選択信号があると判定した場合には（ステップＳ２８；ＹＥＳ）、ステップＳ２１に処理を移行し、上述したと同様な処理を続行する。
【００８８】
一方、主制御部１００は、所定時間を経過しても比較要求が選択信号受信部１０２から入力されない場合、すなわち受信する選択信号がないと判定した場合には（ステップＳ２８；ＮＯ）、送信処理有無フラグ記憶部１０７から送信処理有無フラグを読み出し、送信先情報に基づいた送信処理がすでに行われたか否かを判定する（ステップＳ２９）。
【００８９】
主制御部１００は、送信処理有無フラグ記憶部１０７から読み出した送信先処理有無フラグが「１」で、送信先情報に基づいた送信処理がすでに行われたと判定した場合には（ステップＳ２９；ＹＥＳ）、処理を終了する。
一方、主制御部１００は、送信処理有無フラグ記憶部１０７から読み出した送信先処理有無フラグが「０」で、送信先情報に基づいた送信処理が未だに行われていないと判定した場合には（ステップＳ２９；ＮＯ）、送信先情報に基づかない送信処理、すなわち、選択信号記憶部１０３に記憶されているすべての番号が記憶された電話番号としての連続した選択信号に基づいた送信処理を実行させる命令を送受信処理部１０５に出力する（ステップＳ３０）。
ここで、上述した受信する選択信号がないと判定された場合（ステップＳ２８；ＮＯ）且つ送信処理が未だに行われていないと判定された場合（ステップＳ２９；ＮＯ）は、受信された選択信号（電話番号）に対応する送信先情報が送信先情報記憶部１０４に登録されていない場合であり、新規な選択信号が受信されたことを意味する。かかる場合、前述した主制御部１００は、前述した通常発信処理機能（段落番号００３４参照）を作動させて当該新規な選択信号（電話番号）の送受信処理を送受信処理部１０５に指令する。
【００９０】
かかる場合、送受信処理部１０５は、ゲートキーパ（図示せず）から相手先（通信相手である他方の端末装置）の音声発信制御装置のＩＰアドレスを取得し、その後、呼設定処理，音声圧縮符合化，ＩＰパケットの組立等の送信処理を行い（ステップＳ３１）、生成したＩＰパケットをＩＰ網インタフェース１０８に出力する。ＩＰ網インタフェース１０８は、このＩＰパケットをＩＰ網４０を介して通信相手である他方の端末装置に向けて送信し（ステップＳ１８）、処理を終了する。
【００９１】
一方、前述したステップ２５において、主制御部１００は、選択信号と送信先情報とが一致すると判定した場合には（ステップＳ２５；ＹＥＳ）、更に、送信処理有無フラグ記憶部１０７から送信処理有無フラグを読み出し、送信先情報に基づいた送信処理がすでに行われたか否かを判定する（ステップＳ３２）。主制御部１００は、送信処理有無フラグ記憶部１０７から読み出した送信先処理有無フラグが「１」で、送信先情報に基づいた送信処理がすでに行われたと判定した場合には（ステップＳ３２；ＹＥＳ）、ステップＳ１５に処理を移行する。
【００９２】
一方、主制御部１００は、送信処理有無フラグ記憶部１０７から読み出した送信先処理有無フラグが「０」で、送信先情報に基づいた送信処理が未だに行われていないと判定した場合には（ステップＳ３２；ＮＯ）、送信先情報に基づく送信処理、すなわち、送信先情報記憶部１０４に登録されている該当する送信先情報の送信処理を電話番号（選択信号）に基づいて実行させる命令を送受信処理部１０５に出力する。
【００９３】
送受信処理部１０５は、主制御部１００から入力される命令に基づいて機能し、送信先情報記憶部１０４に記憶されている当該発信先情報（電話番号）に対応した前記選択信号の送信処理を行い（ステップＳ３３）、ＩＰ網インタフェース１０８を介してＩＰ網４０に接続された他方の端末装置に向けて送信出力し（ステップＳ３４）、その後、ステップＳ２８に処理を移行し、上述したと同様な処理を続行させる。
【００９４】
ここで、前述した選択信号記憶部１０３で記憶される選択信号の桁数を計数し記憶する桁数記憶処理と、前記選択信号が順次受信される度に前記記憶された選択信号の桁数を加算手段１０９で１だけ加算する加算処理と、この記憶された選択信号の桁数が所定桁数に達したか否かを送信先情報記憶部１０３に予め記憶されている桁数と比較して判定する桁数判定処理とをプログラム化してコンピュータに実行させるように構成してもよい。この場合、前述した判定工程における判定処理を、上述した桁数判定処理によって前記選択信号の桁数が所定桁数に達したと判定された場合に実行するようにその内容を設定し、これらの各処理をコンピュータに実行させるように構成してもよい。
【００９５】
このように、上述した図４の応用例によると、前述した図１の実施形態が有する作用効果をそのまま備えると共に、カウント比較演算部１１１により、選択信号の数（構成する数字の桁数）が所定数に達したと判定された場合に、主制御部１００が、選択信号記憶部１０３に記憶されている選択信号と送信先情報記憶部１０４に記憶されている送信先情報について、この選択信号の同一桁をなす部分とが一致するか否かを判定するので、桁数に達しない選択信号又は桁数を越えた選択信号に対しては送信処理の対象外とすることができ、これがため、効率のよい送信処理を実行することができる。
【図面の簡単な説明】
【００９６】
【図１】本発明に係る一実施形態の構成を示すブロック図である。
【図２】図１中の送信先情報記憶部に記憶されている送信先情報の例を示す説明図である。
【図３】図１に開示した実施形態の動作を示すフローチャートである。
【図４】図１に開示した実施形態の応用例の構成を示すブロック図である。
【図５】図４中の送信先情報記憶部に記憶されている送信先情報の例を示す説明図である。
【図６】図４に開示した応用例の動作を示すフローチャートである。
【図７】従来例の構成を示すブロック図である。
【図８】他の従来例の構成を示すブロック図である。
【図９】更に他の従来例の構成を示すブロック図である。
【符号の説明】
【００９７】
１０  音声発信制御装置
２０  一方の端末装置
４０  ＩＰネットワーク（ＩＰ網）
１００  主制御部（判定手段、送信処理有無判定手段）
１０１  端末インタフェース部
１０２  選択信号受信部（選択信号更新手段）
１０３  選択信号記憶部
１０４  送信先情報記憶部
１０５  送受信処理部（送信処理実行手段、送信処理中止手段）
１０７  送信処理有無フラグ記憶部（送信処理情報記憶手段）
１０８  ＩＰ網インタフェース
１０９  カウント更新部（加算手段）
１１０  カウント記憶部（桁数記憶手段）
１１１  カウント比較演算部（桁数判定手段）
【図１】
0004463217.tif 000002
【図２】
0004463217.tif 000003
【図３】
0004463217.tif 000004
【図４】
0004463217.tif 000005
【図５】
0004463217.tif 000006
【図６】
0004463217.tif 000007
【図７】
0004463217.tif 000008
【図８】
0004463217.tif 000009
【図９】
0004463217.tif 000010